(57)【要約】【課題】コンピュータのオーディオプレーヤーパネルの置換方法を提供する。【解決手段】コンピューターシステムのＢＩＯＳ２００のＲＯＭにオーディオプレーヤーを格納し、上述のオーディオプレーヤーフォーマットに適合したイメージデータを取得し、取得したイメージデータで前記オーディオプレーヤーパネルを更新する。更新されたオーディオプレーヤーパネルが出力装置３００に表示される。【選択図】  図１
2004164541.tif 000002
【特許請求の範囲】
【請求項１】
オーディオプレーヤーパネル置換方法であって、
コンピューターシステムのＢＩＯＳのＲＯＭに、オーディオプレーヤーを格納する工程と、
前記オーディオプレーヤーのフォーマットに適合するイメージを取得する工程と、
取得したイメージで前記オーディオプレーヤーのパネルを更新する工程と、
からなることを特徴とする方法。
【請求項２】
前記オーディオプレーヤーのパネルのイメージのフォーマットはビットマップファイル形式であることを特徴とする請求項１に記載の方法。
【請求項３】
前記オーディオプレーヤーのパネルのイメージは、ＢＩＯＳのＲＯＭに記憶されることを特徴とする請求項１に記載の方法。
【請求項４】
オーディオプレーヤーパネル置換方法であって、
複数の必要素子が所定の相対位置に配置されたパネルイメージデータを製作する工程と、
前記パネルイメージデータを圧縮すると共に、ＲＯＭヘッダーを加える工程と、
前記ＲＯＭヘッダーにより、ＢＩＯＳのＲＯＭにおけるパネルイメージデータの位置を判断する工程と、
前記ＢＩＯＳのＲＯＭにおけるパネルイメージのデータを更新する工程と、
からなることを特徴とする方法。
【請求項５】
前記必要素子は、Ｅｊｅｃｔキー、Ｐｌａｙキー、Ｓｔｏｐキー、Ｐａｕｓｅ／Ｒｅｓｕｍｅキー、Ｐｒｅｖｉｏｕｓキー、Ｎｅｘｔキーを含むことを特徴とする請求項４に記載の方法。
【請求項６】
前記必要素子は更に、Ｍｕｔｅキー、Ｒｅｐｅａｔキー、光ディスクディスプレイ領域及び時間ディスプレイ領域を含むことを特徴とする請求項４に記載の方法。
【請求項７】
前記ＢＩＯＳのＲＯＭは、フラッシュＲＯＭであることを特徴とする請求項４に記載の方法。
【請求項８】
オーディオプレーヤーパネル置換機能を備える装置であって、
オーディオプレーヤーを表示する出力装置と、
前記オーディオプレーヤーのパネルのデータをＲＯＭ内に格納するＢＩＯＳと、
前記出力装置と前記ＢＩＯＳに接続され、ユーザーの指示に従って、作業システムの環境下で、前記ＢＩＯＳのＲＯＭ内から前記オーディオプレーヤーのパネルのデータを取り出して、前記オーディオプレーヤーのパネルを取り替えるＣＰＵと、
からなることを特徴とする装置。
【請求項９】
前記ＢＩＯＳのＲＯＭは、フラッシュＲＯＭであることを特徴とする請求項８に記載の装置。
【請求項１０】
前記オーディオプレーヤーのパネルデータは、前記フラッシュＲＯＭに配置されることを特徴とする請求項９に記載の装置。
【請求項１１】
前記作業システムで、前記ＢＩＯＳの更新プログラムを実行するのは、前記ＣＰＵにより、前記フラッシュＲＯＭを更新して、前記オーディオプレーヤーパネルのパネルイメージを置換することを特徴とする請求項１０に記載の装置。
【請求項１２】
前記作業システムは、ウィンドウ作業システム或いは、ＤＯＳであることを特徴とする請求項１１に記載の装置。
【請求項１３】
コンピュータの表示装置に表示されるオーディオプレーヤーパネルの置換方法であって、
所定の位置に配置された複数の必要素子を有する前記パネルのイメージデータを取得する工程と、
前記イメージデータを圧縮すると共に、前記イメージデータにヘッダーを加える工程と、
ＢＩＯＳのＲＯＭ内において前記ＲＯＭヘッダーにより指定される位置に前記イメージデータを格納する工程と
からなることを特徴とする置換方法。
【請求項１４】
前記格納する工程は、前記ＲＯＭに記憶されたイメージデータを、取得されたイメージデータに書き換えることを含む請求項１３に記載の置換方法。
【発明の詳細な説明】
【０００１】
【発明の属する技術分野】
本発明は、オーディオプレーヤーパネルの置換方法に関し、詳しくは、コンピューターシステムとは独立して作動されるオーディオプレーヤーのパネル置換方法及び装置に関する。
【０００２】
【従来の技術】
ソフトウェアソリューションが提供するオーディオプレーヤーにより、コンピューターシステムの付加価値が増加すると同時に、コンピューターシステムコストが減少するが、オーディオプレーヤーは、ＢＩＯＳのＲＯＭ中に配置され、設計上、画面に表示されたプレーヤーのパネルの外観が単調であり、その変更が難かしい。多くの商品において、個人化が求められる現在、便利なパネル置換方法が提供できれば、オーディオプレーヤーの付加価値は増加するであろう。
【０００３】
【特許文献１】
米国特許第５７２４３６９号
【特許文献２】
米国特許第６４３８６８８号
【特許文献３】
台湾特許公告第４７９２０１号公報
【特許文献４】
台湾特許公告第４７０８８０号公報
【０００４】
【発明が解決しようとする課題】
本発明は、ユーザーオリジナル或いはダウンロードしたオーディオプレーヤーパネルを提供すると共に、関連のソフトウェアにより、オーディオプレーヤーパネルを置換する方法及び装置を提供することを目的とする。
【０００５】
【課題を解決するための手段】
本発明のオーディオプレーヤーパネル置換方法では、ユーザーオリジナル或いはダウンロードしたイメージにより、ＢＩＯＳのＲＯＭに記憶したオーディオプレーヤーパネルを置換する。本方法は、コンピューターシステムのＢＩＯＳのＲＯＭに、オーディオプレーヤーを格納する工程と、上述のオーディオプレーヤーフォーマットに適合するイメージを取得する工程と、前記オーディオプレーヤーパネルを更新する工程と、からなる。
【０００６】
本発明のオーディオプレーヤーパネル置換機能を備える装置は、オーディオプレーヤーを表示する出力装置と、前記オーディオプレーヤーのパネルのデータをＲＯＭ内に格納するＢＩＯＳと、前記出力装置と前記ＢＩＯＳに接続され、ユーザーの指示に従って、作業システムの環境下で前記ＢＩＯＳのＲＯＭ内から前記オーディオプレーヤーのパネルのデータを取り出して前記オーディオプレーヤーのパネルを取り替えるＣＰＵとからなる。
【０００７】
ユーザーは、自分の好きなイメージをデザインしたり、コンピュータネットワーク上からイメージをダウンロードして得たイメージを、オーディオプレーヤーパネルとすることが出来る。関連のソフトウェアにより、ＤＯＳ（ｄｉｓｋ  ｏｐｅｒａｔｉｎｇ  ｓｙｓｔｅｍ）環境でＢＩＯＳ更新作業を実行してパネルを置換したり、ウィンドウ環境で直接パネルを置換したり出来、ユーザー操作を更に便利にする。
【０００８】
本発明の一態様ではコンピュータの表示装置に表示されるオーディオプレーヤーパネルの置換方法が提供される。その方法は、所定の位置に配置された複数の必要素子を有する前記パネルのイメージデータを取得する工程と、前記イメージデータを圧縮すると共に、前記イメージデータにヘッダーを加える工程と、ＢＩＯＳのＲＯＭ内において前記ＲＯＭヘッダーにより指定される位置に前記イメージデータを格納する工程とからなる。前記格納する工程は、前記ＲＯＭに記憶されたイメージデータを、取得されたイメージデータに書き換えることを含む。
【０００９】
【発明の実施の形態】
上述した本発明の目的、特徴、及び長所をいっそう明瞭にするため、以下に本発明の好ましい実施の形態を挙げ、図を参照しながらさらに詳しく説明する。
【００１０】
本発明のオーディオプレーヤーパネル置換方法について説明する。
フラッシュＲＯＭは、システム内部に設計され、データ更新時に使用され、バーナーが不用である。マザーボード上に使用し、ユーザーは、容易にＢＩＯＳを更新することが出来るので、データ更新時にコンピューターハウジングを開く必要がない。フラッシュＲＯＭにデータを焼く（書き込む）時は、例えば、４ＫＢを一ブロック等、一ブロックを単位とし、一度、除去及び焼いた４ＫＢは、ＥＥＰＲＯＭのように１バイトごとに、焼きを行わない。
【００１１】
本発明では、関連のソフトウェアにより、準備したオーディオプレーヤーパネルイメージデータを、フラッシュＲＯＭ中に書き込む。フラッシュＲＯＭのデータ記憶空間には限りがあるので、新しいパネルイメージデータは元のオーディオプレーヤーパネルイメージデータに取って代わる。
【００１２】
パーソナルコンピュータを更に個人化或いは個性化するために、通常、多くのユーザーは画面に表示されるオーディオプレーヤーパネルイメージを置換する。一般に、オーディオプレーヤーはウィンドウズ（Ｗｉｎｄｏｗｓ）のような作業環境の下で使用され、オーディオプレーヤーのプログラムであろうが、パネルデータであろうが、ハードディスクのような記憶装置に記憶される。ユーザーがパネルイメージを置換したい場合、その指令を実行するだけで、ＣＰＵにより、ハードディスクに記憶されたオーディオプレーヤーパネルデータを変更することが出来る。これに対し、本発明では、オーディオプレーヤープログラムはＢＩＯＳのＲＯＭに記憶される。ＢＩＯＳのＲＯＭ自身のデータ記憶空間が大きくないため、記憶できるデータにも限りがあり、よって、オーディオプレーヤーパネルイメージの変更はデータ置換の方式により実施される。
【００１３】
図１に本発明のコンピュータの要部を示す。ＣＰＵ（中央演算処理装置）１００はＢＩＯＳ（Ｂａｓｉｃ  Ｉｎｐｕｔ  Ｏｕｔｐｕｔ  Ｓｙｓｔｅｍ、基本入出力システム）２００が送信するインタラプトリクエスト（Ｉｎｔｅｒｒｕｐｔ  Ｒｅｑｕｅｓｔ）を受信した後、実行したいプログラムをロードする。ＢＩＯＳ２００は、ユーザーがキーボード上のあるボタンを押した後、押したキーにしたがって、対応するインタラプトリクエストを送信する。出力装置３００は、オーディオプレーヤープログラムが実行される時、オーディオプレーヤーのパネルの画像を表示する。プレーヤーパネルイメージ４００はＢＩＯＳ２００のＲＯＭ（読み出し専用メモリー）に記憶されており、ユーザーがパネルの画像を置換したい時、ＣＰＵ１００はＢＩＯＳ２００のＲＯＭ中の画像のデータを取り出して、オーディオプレーヤーのパネルを更新する。ユーザーが作業システムの環境下でＢＩＯＳの更新プログラムを実施する時、ＣＰＵ１００を介して、ＢＩＯＳ２００により、ＲＯＭ中に記憶されたオーディオプレーヤーパネルイメージ４００を置換する。その後、置換されたイメージの画像がスクリーンのような出力装置３００に表示される。
【００１４】
プレーヤーパネルイメージ４００の取得は、ユーザーオリジナルデザイン或いは特定のサイトからすでに製作が完成したイメージをダウンロードすればよい。もし、自身で製作するなら、先ず、オーディオプレーヤーパネルの表示に必要な素子全部を、一枚のイメージ内に集結させる。必要素子と言うのは、再生したい音楽ディスクの情報、或いは、再生中の操作に必要な表示キーの情報を含み、例えば、Ｐｌａｙ（再生）キー４１０、Ｐａｕｓｅ／Ｒｅｓｕｍｅ（一時停止）キー４２０、Ｐｒｅｖｉｏｕｓ（前曲）キー４３０、Ｎｅｘｔ（次曲）キー４４０、Ｓｔｏｐ（停止）キー４５０、Ｅｊｅｃｔ（取り出し）キー４６０、Ｍｕｔｅ（無音）キー４７０、Ｒｅｐｅａｔ（繰り返し）キー（Ｒｅｐ．ＯＮＥ（一曲繰り返し），ＲＥＰ．ＡＬＬ（全曲繰り返し））４８０、光ディスクディスプレイ領域４９０及び時間ディスプレイ領域５００である。前記必要素子は、いずれも一般のオーディオプレーヤーパネル上に備わっている基本素子であり、置換されるプレーヤーパネルは、背景イメージが異なっていても、基本の必要素子を備えていなければならない。図２及び図３で示されるように、必要素子が所定の相対位置にしたがって並べられる。全ての必要素子の相対位置は必ず同じである。一定の方式に従って、オーディオプレーヤーパネルのイメージファイルを製作する（配置は特殊なアプリケーションプログラムにより処理できる）。
【００１５】
次に、製作したイメージファイルをＲＯＭに保存するのに適当な大きさに圧縮する。イメージファイルの好ましいフォーマットはビットマップファイル（ｂｍｐ）形式である。イメージファイル圧縮時、ＲＯＭヘッダー（ｈｅａｄｅｒ）を加え、ＢＩＯＳのツールプログラムを更新する。ＲＯＭヘッダーには、イメージデータがＢＩＯＳ  ＲＯＭ６００のどの領域（Ａ、Ｂ、Ｃ、Ｄ、Ｅはそれぞれ、ＲＯＭの設計機能或いはデータを表示する）に位置するかを判別するために利用される。オーディオプレーヤーパネルの更新時には、この領域のデータだけが置換される。図４の例を参照すると、領域Ｃにパネルイメージ５０が格納されている。別のパネルイメージ５１に変更する場合、領域Ｃのパネルイメージ５０のデータを、パネルイメージ５１のデータに書き換える。これにより、パネルを置換することが出来、異なるオーディオプレーヤーのパネルを出力装置３００に表示することが出来る。
【００１６】
本発明によると、ユーザーは、自身で好きなイメージをデザインしたり、或いはコンピュータネットワークからイメージをダウンロードしたりして、オーディオプレーヤーパネルとし、その後、相関する更新されたＢＩＯＳのツールプログラムにより、ディスク作業システムの環境下で、ＢＩＯＳ更新作業を実行してパネルを置換するか、或いはウィンドウ環境で、直接パネルを置換することが出来る。
【００１７】
本発明では好ましい実施例を前述の通り開示したが、これらは決して本発明を限定するものではなく、各種の変更や修正を加えてもよい。従って本発明の保護範囲は、特許請求の範囲で指定した内容を基準とする。
【００１８】
【発明の効果】コンピューターの表示装置に表示されるオーディオプレーヤーのパネルをユーザの好みに変更することができ、個人化のニーズに符合する。
【図面の簡単な説明】
【図１】本発明のコンピュータシステムの機構図である。
【図２】オーディオプレーヤーパネルの一例である。
【図３】オーディオプレーヤーパネルの別の例である。
【図４】ヘッダの付加されたオーディオプレーヤーのイメージファイルを保存したＢＩＯＳ  ＲＯＭの説明図である。
【符号の説明】
１００…ＣＰＵ
２００…ＢＩＯＳ
３００…出力装置
４００…オーディオプレーヤーパネルイメージ
４１０…Ｐｌａｙキー
４２０…Ｐａｕｓｅ／Ｒｅｓｕｍｅキー
４３０…Ｐｒｅｖｉｏｕｓキー
４４０…Ｎｅｘｔキー
４５０…Ｓｔｏｐキー
４６０…Ｅｊｅｃｔキー
４７０…Ｍｕｔｅキー
４８０…Ｒｅｐｅａｔキー
４９０…光ディスクディスプレイ領域
５００…時間ディスプレイ領域
６００…ＢＩＯＳ  ＲＯＭ
【図１】
2004164541.tif 000003
【図２】
2004164541.tif 000004
【図３】
2004164541.tif 000005
【図４】
2004164541.tif 000006